(57)【要約】【課題】おむつをはく際に足が脚開口縁に引っ掛かりにくく着用しやすく、股部のフィット性に優れる使い捨てパンツ型おむつを提供する。【解決手段】前側股部と後側股部とこれらの間に位置する中間部とからなる股部と、股部の前後方向に位置する前腹部と後背部とから構成され、前腹部と後背部とが接合されることによりウェスト開口部と一対の脚開口部とが形成されたおむつ本体と、前記股部に備えられた吸収性コアと、前側股部および／または後側股部の両脚開口縁に沿って設けられるとともに、下方側端部が脚開口縁と交差する方向に延在する脚用弾性手段と、中間部に設けられ、おむつ幅方向に両脚開口縁近傍まで延在する股間用弾性手段とを有することを特徴とする使い捨てパンツ型おむつ。【選択図】図２
2010142499.tif 000002
【特許請求の範囲】
【請求項１】
前側股部と後側股部とこれらの間に位置する中間部とからなる股部と、股部の前後方向に位置する前腹部と後背部とから構成され、前腹部と後背部とが接合されることによりウェスト開口部と一対の脚開口部とが形成されたおむつ本体と、
前記股部に備えられた吸収性コアと、
前側股部および／または後側股部の両脚開口縁に沿って設けられるとともに、下方側端部が脚開口縁と交差する方向に延在する脚用弾性手段と、
中間部に設けられ、おむつ幅方向に両脚開口縁近傍まで延在する股間用弾性手段とを有することを特徴とする使い捨てパンツ型おむつ。
【請求項２】
前記股間用弾性手段は、両側端部が脚開口縁と交差する方向に延在する請求項１に記載の使い捨てパンツ型おむつ。
【請求項３】
前記股間用弾性手段は、両側端部が直線状または曲線状に延在する請求項１または２に記載の使い捨てパンツ型おむつ。
【請求項４】
前記脚用弾性手段の下方側端部および前記股間用弾性手段の両側端部は、脚開口縁から１５ｍｍ以内の領域にある請求項１〜３のいずれか一項に記載の使い捨てパンツ型おむつ。
【請求項５】
前記脚用弾性手段と前記股間用弾性手段の少なくとも１つが、複数の弾性部材からなるものである請求項１〜４のいずれか一項に記載の使い捨てパンツ型おむつ。
【請求項６】
前記使い捨てパンツ型おむつは、さらに、前記吸収性コアのおむつ幅方向両側縁部に沿って設けられた立ち上がりフラップを有する請求項１〜５のいずれか一項に記載の使い捨てパンツ型おむつ。
【請求項７】
第１シートを搬送方向に繰り出す工程、
第１弾性部材を、第１シートの搬送方向に延在する第１仮想線と幅方向一方端との間の領域に連続的に導入し、幅方向に延在し搬送方向に所定間隔で設けられる第２仮想線に対し線対称な仮想環上のほぼ半周に配設するとともに、第２弾性部材を、第１シートの前記第１仮想線と幅方向他方端との間の領域に連続的に導入し、前記仮想環上の第１弾性部材が配設されない残りのほぼ半周に配設し、弾性シートを得る工程、
前記弾性シートに、吸収性コアを、隣接する前記仮想環の間に配設する工程、
前記弾性シートを、前記仮想環より幅方向に狭く、前記第２仮想線に対し線対称であり、前記第１弾性部材および／または前記第２弾性部材と交差する環状に切断し、脚開口部用穴を形成する工程、
前記弾性シートを、パンツ形状に形成する工程を有することを特徴とする使い捨てパンツ型おむつの製造方法。
【請求項８】
さらに、前記第１シートに接着剤を塗布する工程を有する請求項７に記載の使い捨てパンツ型おむつの製造方法。
【請求項９】
さらに、前記第１シートに、第１弾性部材および第２弾性部材を間に挟んで第２シートを積層する工程を有する請求項７または８に記載の使い捨てパンツ型おむつの製造方法。
【発明の詳細な説明】
【技術分野】
【０００１】
本発明は、幼児用または大人用の使い捨てパンツ型おむつ、およびその製造方法に関するものである。
【背景技術】
【０００２】
従来、脚開口縁に沿って弾性部材が配設された使い捨てパンツ型おむつが知られている。例えば、特許文献１には、おむつの前側と後側に２つの弾性部材が、脚開口縁の全周に存在するように配され、当該弾性部材は股下部で平行に配されるとともに脚開口部の周縁部で互いに交差しない使い捨てパンツ型おむつが開示されている。特許文献２には、おむつの前腹部または後背部の側縁部から脚開口縁に沿って股下中心線の方向に、第１伸縮性部分と第２非伸縮性部分と第３伸縮性部分と第４非伸縮性部分とがこの順番で設けられ、第３伸縮性部分が股部を横断して設けられている使い捨てパンツ型おむつが開示されている。特許文献３には、脚開口縁に沿って配されたレッグ弾性部材と、レッグ弾性部材および吸収体と交差するように股部の幅方向に配置された吸収部弾性部材を有する使い捨てパンツ型おむつが開示されている。
【特許文献１】特開平６−２９６６４３号公報
【特許文献２】国際公開第２００６／０００３０３号パンフレット
【特許文献３】特開２０００−１４００２１号公報
【発明の開示】
【発明が解決しようとする課題】
【０００３】
特許文献１〜３には、おむつの前側と後側に設けられた２つの弾性部材が股下部で平行に配された使い捨てパンツ型おむつが開示されている。しかし、２つの弾性部材が股下部で間隔を空けて配される場合、２つの弾性部材間の脚開口縁では、脚開口縁がたるんでしまう。また、２つの弾性部材が間隔を空けることなく配される場合においても、弾性部材が股下部を横切って脚開口縁に沿って連続的に配されているため、股下部分では、おむつ幅方向への伸縮力と脚開口縁方向への伸縮力とが合成され、脚開口縁をおむつ幅方向内側に引っ張るように伸縮力が働きにくくなり、中間部の脚開口縁がたるんでしまう。そして、脚開口縁のたるみが生じると、おむつをはく際、足が脚開口縁に引っ掛かりやすくなり、装着時に転倒等の危険が伴うおそれがある。また、このような使い捨てパンツ型おむつでは、脚周りは十分締め付けられるものの、股部の吸収性コアが存在する部分のフィット性は十分なものではない。
【０００４】
本発明は前記事情に鑑みてなされたものであり、その目的は、おむつをはく際に足が脚開口縁に引っ掛かりにくく着用しやすく、股部のフィット性に優れた使い捨てパンツ型おむつを提供することにある。また、前記使い捨てパンツ型おむつを容易に製造できる方法を提供することにある。
【課題を解決するための手段】
【０００５】
前記課題を解決することができた本発明の使い捨てパンツ型おむつとは、前側股部と後側股部とこれらの間に位置する中間部とからなる股部と、股部の前後方向に位置する前腹部と後背部とから構成され、前腹部と後背部とが接合されることによりウェスト開口部と一対の脚開口部とが形成されたおむつ本体と、前記股部に備えられた吸収性コアと、前側股部および／または後側股部の両脚開口縁に沿って設けられるとともに、下方側端部が脚開口縁と交差する方向に延在する脚用弾性手段と、中間部に設けられ、おむつ幅方向に両脚開口縁近傍まで延在する股間用弾性手段とを有しているところに特徴を有する。本発明の使い捨てパンツ型おむつは、前記構成により、脚用弾性手段の下方側端部および股間用弾性手段が脚開口縁をおむつ幅方向内側に引っ張るように作用し、脚開口縁のたるみを防止できるようになる。従って、おむつをはく際に足が脚開口縁に引っ掛かりにくくなり、着用しやすいものとなる。また、股間用弾性手段の伸縮力により股部が着用者側に持ち上がるようになり、股部のフィット性に優れるものとなる。
【０００６】
前記股間用弾性手段は、両側端部が脚開口縁と交差する方向に延在していることが好ましく、また両側端部が直線状または曲線状に延在していることが好ましい。前記構成により、中間部の脚開口縁がたるみにくくなったり、脚周りのフィット性を高めやすくなったりする。
【０００７】
前記脚用弾性手段の下方側端部および前記股間用弾性手段の両側端部は、脚開口縁から１５ｍｍ以内の領域にあることが好ましい。前記構成により、脚開口縁のたるみの防止が確実なものとなる。
【０００８】
本発明の使い捨てパンツ型おむつの製造方法は、第１シートを搬送方向に繰り出す工程；第１弾性部材を、第１シートの搬送方向に延在する第１仮想線と幅方向一方端との間の領域に連続的に導入し、幅方向に延在し搬送方向に所定間隔で設けられる第２仮想線に対し線対称な仮想環上のほぼ半周に配設するとともに、第２弾性部材を、第１シートの前記第１仮想線と幅方向他方端との間の領域に連続的に導入し、前記仮想環上の第１弾性部材が配設されない残りのほぼ半周に配設し、弾性シートを得る工程；前記弾性シートに、吸収性コアを、隣接する前記仮想環の間に配設する工程；前記弾性シートを、前記仮想環より幅方向に狭く、前記第２仮想線に対し線対称であり、前記第１弾性部材および／または前記第２弾性部材と交差する環状に切断し、脚開口部用穴を形成する工程；前記弾性シートを、パンツ形状に形成する工程を有しているところに特徴を有する。前記製造方法によれば、脚開口部用穴の形成と、脚用弾性手段と股間用弾性手段の形成を、一度の切断で行うことができ、本発明の使い捨てパンツ型おむつを容易に製造できる。
【発明の効果】
【０００９】
本発明の使い捨てパンツ型おむつは、おむつをはく際に足が脚開口縁に引っ掛かりにくく、着用しやすい。また、本発明の使い捨てパンツ型おむつは、股部が着用者側に持ち上がるようになり、股部のフィット性に優れるものとなる。また、本発明の使い捨てパンツ型おむつの製造方法によれば、本発明の使い捨てパンツ型おむつを容易に製造できる。
【発明を実施するための最良の形態】
【００１０】
本発明の使い捨てパンツ型おむつは、前側股部と後側股部とこれらの間に位置する中間部とからなる股部と、股部の前後方向に位置する前腹部と後背部とから構成されたおむつ本体を有する。おむつ本体は、前腹部と後背部とが接合されることによりウェスト開口部と一対の脚開口部とが形成される。詳細には、前腹部と後背部とがおむつ幅方向両側縁部において互いに接合されることにより、股部の両側に一対の脚開口部が形成されるとともに、前腹部と後背部のおむつ前後方向両側縁部から形成されるウェスト開口部が形成される。
【００１１】
おむつ本体の各部の名称については、使い捨てパンツ型おむつを着用の際に、着用者の腹側に当てる部分を前腹部と称し、着用者の尻側に当てる部分を後背部と称し、前腹部と後背部との間に位置し着用者の股間に当てる部分を股部と称する。股部とは、使い捨てパンツ型おむつの前腹部と後背部との接合を解いて、おむつ本体を平面に展開した状態で、おむつ前後方向に３分割した中間に位置する部分であり、パンツ型に形成された場合におむつ幅方向両側縁部が接合されない部分を意味する。従って、脚開口部は、股部の両側にのみ形成されることとなる。また、股部はおむつ前後方向に３分割され、股部の前腹部側を前側股部、股部の後背部側を後側股部と称し、前側股部と後側股部との間を中間部と称する。
【００１２】
おむつ前後方向とは、使い捨てパンツ型おむつの前腹部から後背部にかけての方向を意味する。おむつ幅方向とは、使い捨てパンツ型おむつと同一面上にあり、前記前後方向に直交する方向を意味する。
【００１３】
本発明の使い捨てパンツ型おむつは、おむつ本体の股部に備えられた吸収性コアを有する。吸収性コアは、少なくとも股部に存在すればよく、さらに前腹部および／または後背部とにかけて存在してもよい。
【００１４】
吸収性コアが備わったおむつ本体の態様としては、例えば、液透過性のトップシートと液不透過性のバックシートとの間に吸水性コアが挟み込まれた積層体からなり、この積層体が前腹部と後背部とこれらの間に位置する股部とを有しているものが示される。前記トップシートとしては、液透過性のものが好ましく、前記バックシートとしては、液不透過性または撥水性のものが好ましい。前記トップシートの材料としては、例えば、不織布が用いられ、前記バックシートの材料としては、例えば、不織布やプラスチックフィルムが用いられる。
【００１５】
吸収性コアが備わったおむつ本体の態様としては、また、内側シートと外側シートとからなる積層体が前腹部と後背部とこれらの間に位置する股部とからなるおむつ本体を形成し、内側シートの着用者側の面に、液透過性のトップシートと液不透過性のバックシートとの間に吸水性コアが挟み込まれた吸収性本体が設けられているものであってもよい。この場合、内側シートには、親水性または撥水性材料を用いることが好ましく、外側シートには、撥水性材料を用いることが好ましい。前記内側シートや外側シートの材料としては、例えば、不織布やプラスチックフィルムが用いられる。
【００１６】
吸収性コアは、尿等の排泄物を吸収できるものであれば特に限定されず、吸水性樹脂を含んでいることが好ましい。吸収性コアは、例えば、粉砕したパルプ繊維やセルロース繊維等の親水性繊維集合層に粒状の吸水性樹脂を混合したものを、ティッシュペーパーなどの紙シートまたは液透過性不織布シート等の被覆シートで包み、長方形、砂時計型、ひょうたん型、羽子板型等の所定形状に成形することにより得られる。
【００１７】
吸収性コアのおむつ幅方向両側縁部に沿って、立ち上がりフラップが設けられていることが好ましい。立ち上がりフラップは、例えば、吸収性コアの上面の幅方向両側縁部に設けられてもよく、吸収性コアの幅方向両外側に設けられてもよい。吸収性コアがトップシートとバックシートとで挟み込まれる態様の場合、立ち上がりフラップは、例えばトップシートに接合される。立ち上がりフラップは、液不透過性のプラスチックフィルムや撥水性不織布等により構成されることが好ましく、撥水性の不織布により構成されることがより好ましい。立ち上がりフラップを設けることにより、尿等の横漏れを防ぐことができる。
【００１８】
立ち上がりフラップが立ち上がった状態の上側端部（着用者側の端部）には、立体用弾性部材が設けられていることが好ましい。立体用弾性部材の収縮力により、着用者側に立ち上がる立体ギャザーが形成され、尿等の横漏れが防止される。なお、立ち上がりフラップのおむつ前後方向の端部は、内面が例えばトップシート上に接合されていてもよく、これにより尿等の前後方向への漏れが防止される。
【００１９】
本発明の使い捨てパンツ型おむつは、前側股部および／または後側股部の両脚開口縁に沿って設けられるとともに、下方側端部が脚開口縁と交差する方向に延在する脚用弾性手段を有する。すなわち、脚用弾性手段は、前側股部および／または後側股部の両脚開口縁に沿って設けられる部分を有するとともに、下方側端部が脚開口縁と交差する方向に延在している。
【００２０】
脚用弾性手段の両脚開口縁に沿って設けられる部分は、着用者の脚周りに沿ったレッグギャザーを形成し、股部からの尿等の排泄物の漏れを防止するように作用する。前記効果がより奏効されるために、脚用弾性手段は、前側股部および後側股部の両脚開口縁に沿って設けられることが好ましい。さらに、脚用弾性手段は、前側股部および後側股部においては、下方側端部を除く他の全ての部分が、両脚開口縁に沿って設けられることがより好ましい。
【００２１】
脚用弾性手段は、さらに、前腹部および／または後背部にも設けられていてもよく、好ましくは、脚用弾性手段の上方側端部が、前腹部と後背部との接合部分まで延在している。しかし、脚用弾性手段は、中間部には設けられない。
【００２２】
ここで、下方とは、おむつがパンツに形成された状態におけるウェスト開口部から股部の中間部への方向を意味し、下方側とは、前記状態での股部の中間部側を意味する。一方、上方とは、おむつがパンツに形成された状態における股部の中間部からウェスト開口部への方向を意味し、上方側とは、前記状態でのウェスト開口部側を意味する。従って、脚用弾性手段の下方側端部とは、前側股部および／または後側股部に設けられた脚用弾性手段の股部の中間部側の端部を意味し、一方、脚用弾性手段の上方側端部とは、前記下方側端部の反対側の端部を意味する。
【００２３】
脚用弾性手段の前側股部および／または後側股部の両脚開口縁に沿って設けられる部分は、当該部分が全体として脚開口縁とほぼ平行に設けられていればよく、当該部分が厳密に脚開口縁と平行に設けられている必要はない。また、脚用弾性手段の前側股部および／または後側股部の両脚開口縁に沿って設けられる部分は、脚開口縁から５ｍｍ以上内側に設けられることが好ましく、脚開口縁には余白が設けられることとなる。
【００２４】
脚用弾性手段の下方側端部は、脚開口縁と交差する方向に延在している。好ましくは、脚用弾性手段は、下方側端部近辺で脚開口縁側に湾曲し、下方側端部が脚開口縁と交差する方向に延在している。
【００２５】
脚用弾性手段の下方側端部が脚開口縁と交差する方向に延在しているとは、脚用弾性手段の下方側端部、または下方側端部の接線方向に延びる線が、脚開口線と交差することを意味する。本発明では、脚用弾性手段の下方側端部が脚開口縁と交差する方向に延在することにより、脚開口縁をおむつ幅方向内側に引っ張るように作用し、その結果、脚用弾性手段の下方側端部付近の脚開口縁がたるみにくくなる。従って、本発明の使い捨てパンツ型おむつは、はく際に足が脚開口縁に引っ掛かりにくくなり、着用しやすいものとなる。
【００２６】
脚用弾性手段の下方側端部は、脚開口縁から内側の領域にあることが好ましい。前記構成により、脚用弾性手段が脚開口縁より外側にはみ出さなくなるため、おむつの取り扱い性や見栄えが良くなる。さらに、脚用弾性手段の下方側端部は、脚開口縁から１５ｍｍ以内の領域にあることが好ましく、１０ｍｍ以内の領域にあることがより好ましく、５ｍｍ以内の領域にあることがさらに好ましい。脚用弾性手段の下方側端部が脚開口縁から１５ｍｍ以内の領域にあれば、脚用弾性手段の下方側端部付近の脚開口縁のたるみ防止効果が確実なものとなる。なお、脚用弾性手段の下方側端部は、脚開口縁から０．５ｍｍ以上の領域にあることが好ましい。脚用弾性手段の下方側端部が脚開口縁から０．５ｍｍ以上の領域にあれば、脚用弾性手段の伸縮力により脚開口縁がおむつ幅方向内側に引っ張られても、脚開口縁がギザギザになりにくくなり、肌触りがよくなる。
【００２７】
脚用弾性手段は、伸張状態でおむつ本体に接合されていることが好ましい。また、脚用弾性手段は、脚開口縁に沿って設けられる部分から下方側端部にかけて、連続的に設けられても、断続的に設けられてもよいが、連続的に設けられている方が、脚周りに沿ったレッグギャザーが形成され、股部からの尿等の排泄物の漏れがより防止される点で、好ましい。
【００２８】
脚用弾性手段は、１本の弾性部材からなっていても、複数の弾性部材からなっていてもよいが、脚用弾性手段は、２本〜１０本の弾性部材からなっていることが好ましい。脚用弾性手段が複数の弾性部材からなる場合、たとえ１本の弾性部材が切断したとしても、残った弾性部材でレッグギャザーを維持できる。また、複数の弾性部材を並べて配設することにより、高い伸張力を維持しつつ、脚周りの着用感をソフトにすることができる。
【００２９】
本発明の使い捨てパンツ型おむつは、股部の中間部に設けられ、おむつ幅方向に両脚開口縁近傍まで延在する股間用弾性手段を有する。股間用弾性手段は、おむつ幅方向に延在するとともに、両側端部が両脚開口縁近傍まで延在しているため、股部の中間部において脚開口縁をおむつ幅方向内側に引っ張る力が働き、その結果、中間部の脚開口縁がたるみにくくなる。従って、本発明の使い捨てパンツ型おむつは、はく際に足が脚開口縁に引っ掛かりにくくなり、着用しやすいものとなる。また、本発明の使い捨てパンツ型おむつは、股間用弾性手段の伸縮力がおむつ幅方向に作用するため、股間用弾性手段がなければ股部が下方にたるみやすくなるところ、股間用弾性手段の伸縮力により股部が着用者側に持ち上がるようになり、股部のフィット性に優れるものとなる。
【００３０】
股間用弾性手段は、股部の中間部に設けられるが、中間部は、股部の前後方向の真ん中、股部の前側、または股部の後側のいずれにあってもよい。例えば、股間用弾性手段が、股部の前側に偏在していれば、陰部付近のフィット性を高め、尿等の漏れ防止効果を高めやすくなる。
【００３１】
股間用弾性手段は、おむつ幅方向に延在する直線状に設けられる部分が多い方が好ましい。股間用弾性手段は、おむつ幅方向に延在する直線状の部分が、股部の幅の１０％以上を占めることが好ましく、３０％以上を占めることがより好ましい。
【００３２】
股間用弾性手段は、両側端部が脚開口縁と交差する方向に延在していることが好ましい。なお、股間用弾性手段の端部が脚開口縁と交差する方向に延在しているとは、股間用弾性手段の端部、または端部の接線方向に延びる線が、脚開口線と交差することを意味する。股間用弾性手段の両側端部が脚開口縁と交差する方向に延在することにより、股部の中間部において脚開口縁をおむつ幅方向内側に引っ張る力がより強く働くようになり、中間部の脚開口縁がたるみにくくなる。
【００３３】
股間用弾性手段は、両側端部が直線状または曲線状に延在していることが好ましい。股間用弾性手段の両側端部は、両側端部が配設される形状により得られる効果が異なるため、所望する効果に応じて適宜両側端部の配設形状が決めればよいが、より好ましくは、両側端部は直線状に延在している。
【００３４】
股間用弾性手段の両側端部が直線状に延在する場合、両側端部がおむつ幅方向に直線状に延在していることがより好ましく、股間用弾性手段の全体がおむつ幅方向に直線状に延在していることがさらに好ましい。前記構成により、脚開口縁をおむつ幅方向内側に引っ張る力がより強く働くようになり、中間部の脚開口縁がたるみにくくなる。
【００３５】
股間用弾性手段の両側端部が曲線状に延在する場合、両側端部は脚開口縁に沿って湾曲する曲線状に延在していることがより好ましい。この場合、両側端部は、脚開口縁と平行な方向に湾曲しているか、脚開口縁と交差する方向に湾曲していることが好ましい。前記構成により、脚開口縁のおむつ幅方向内側への方向とともに、脚開口縁に沿った方向に、弾性手段の伸縮力が働くこととなる。従って、中間部の脚開口縁がたるみにくくなるとともに、脚周りのフィット性を高めやすくなる。中間部の脚開口縁がたるみにくくなる効果がより奏効されるためには、両側端部は、脚開口縁と交差する方向に湾曲していることがより好ましい。
【００３６】
股間用弾性手段の両側端部は、脚開口縁から内側の領域にあることが好ましい。前記構成により、股間用弾性手段が脚開口縁より外側にはみ出さなくなるため、おむつの取り扱い性や見栄えが良くなる。さらに、股間用弾性手段の両側端部は、脚開口縁から１５ｍｍ以内の領域にあることが好ましく、１０ｍｍ以内の領域にあることがより好ましく、５ｍｍ以内の領域にあることがさらに好ましい。股間用弾性手段の両側端部が脚開口縁から１５ｍｍ以内の領域にあれば、中間部の脚開口縁のたるみ防止効果が確実なものとなる。なお、股間用弾性手段の両側端部は、脚開口縁から０．５ｍｍ以上の領域にあることが好ましい。股間用弾性手段の両側端部が脚開口縁から０．５ｍｍ以上の領域にあれば、股間用弾性手段の伸縮力により脚開口縁がおむつ幅方向内側に引っ張られても、脚開口縁がギザギザになりにくくなり、肌触りがよくなる。
【００３７】
股間用弾性手段は、伸張状態でおむつ本体に接合されていることが好ましい。また、股間用弾性手段は、おむつ幅方向の両脚開口縁近傍に設けられている限り、連続的に設けられても、断続的に設けられてもよい。しかし、中間部の脚開口縁をたるまないようにし、股部を着用者側に持ち上げるという効果を最大限発揮させるためには、股間用弾性手段が連続的に設けられていることが好ましい。
【００３８】
股間用弾性手段は、１本の弾性部材からなっていても、複数の弾性部材からなっていてもよいが、複数の弾性部材からなっている方が好ましい。特に、脚用弾性手段が、前側股部と後側股部の両方に設けられる場合は、後述する製造方法において示されるように、製造が容易になる点で、股間用弾性手段は複数の弾性部材からなっていることが好ましい。
【００３９】
股間用弾性手段が複数の弾性部材からなる場合、股間用弾性手段を構成する弾性部材の数は、２本以上が好ましく、３本以上がより好ましく、また１０本以下が好ましく、６本以下がより好ましく、５本以下がさらに好ましい。股間用弾性手段を構成する弾性部材の数が２本以上であれば、中間部の脚開口縁がたるみにくくなり、股部のフィット性が改善されやすくなる。一方、股間用弾性手段を構成する弾性部材の数が１０本を超えても、股間用弾性手段による効果は顕著に改善されにくくなり、かえって製造が困難となり、製造コストも上がる。従って、股間用弾性手段を構成する弾性部材の数は１０本以下が好ましい。
【００４０】
股間用弾性手段が複数の弾性部材からなる場合、股間用弾性手段を構成する弾性部材の数は、前側股部の脚開口縁に沿って設けられる脚用弾性手段を構成する弾性部材の数と、後側股部の脚開口縁に沿って設けられる脚用弾性手段を構成する弾性部材の数との和となることが、後述する製造方法において示されるように、製造が容易になる点で好ましい。
【００４１】
股間用弾性手段が複数の弾性部材からなる場合、各弾性部材間の間隔は０．５ｍｍ以上が好ましく、１ｍｍ以上がより好ましく、また１０ｍｍ以下が好ましく、７ｍｍ以下がより好ましい。各弾性部材間の間隔が０．５ｍｍ以上であれば、弾性部材の配設間隔が密になりすぎず、股部の柔軟性が維持されるようになる。各弾性部材間の間隔が１０ｍｍ以下であれば、中間部の脚開口縁がたるみにくくなり、股部のフィット性が改善されやすくなる。
【００４２】
股間用弾性手段が複数の弾性部材からなる場合、おむつ前後方向において、最前側の弾性部材と最後側の弾性部材との間の長さは、０．５ｍｍ以上が好ましく、１ｍｍ以上がより好ましく、また９０ｍｍ以下が好ましく、４０ｍｍ以下がより好ましい。最前側の弾性部材と最後側の弾性部材との間の長さが０．５ｍｍ以上であれば、股部に股間用弾性手段が配設される領域が十分確保され、中間部の脚開口縁がたるみにくくなり、股部のフィット性が改善されやすくなる。最前側の弾性部材と最後側の弾性部材との間の長さが９０ｍｍ以下であれば、レッグギャザーが十分脚周りに形成されやすくなり、股部からの尿等の排泄物の漏れが防止しやすくなる。なお、最前側の弾性部材と最後側の弾性部材との間の長さとは、最前側の弾性部材と最後側の弾性部材との間のおむつ前後方向への長さを意味し、最前側の弾性部材と最後側の弾性部材との間の長さが測定箇所により変わる場合は、その最小値を意味する。
【００４３】
股間用弾性手段が複数の弾性部材からなる場合、各弾性部材は、両側端部を除く部分が互いにほぼ平行に配設されることが好ましい。前記構成により、股間用弾性手段の伸縮力が最大限発揮されるようになる。
【００４４】
股間用弾性手段が複数の弾性部材からなり、両側端部が曲線状に延在する場合、弾性部材は２つの群に分けられ、前側股部側に設けられる群は両側端部が前側股部側に湾曲し、後側股部側に設けられる群は両側端部が後側股部側に湾曲していることが好ましい。また、この場合、各群に弾性部材が複数含まれる場合は、各群に含まれる弾性部材は互いにほぼ平行に配設されることが好ましい。
【００４５】
股間用弾性手段が複数の弾性部材からなる場合、各弾性部材間の間隔はほぼ均等であることが好ましい。股間用弾性手段を構成する複数の弾性部材がほぼ均等の間隔で配設されていれば、股部の股間用弾性手段が配設される領域で均等に弾性力が働き、中間部の脚開口縁のたるみ防止効果が確実なものとなり、股部のフィット性も向上する。
【００４６】
従って、本発明の使い捨てパンツ型おむつは、股間用弾性手段が複数の弾性部材からなり、各弾性部材は全体がおむつ幅方向に延在する連続した直線状に設けられ、各弾性部材が互いにほぼ平行にほぼ均等の間隔で配設されることが特に好ましい。
【００４７】
本発明の使い捨てパンツ型おむつは、脚用弾性手段と股間用弾性手段との間に非弾性領域が形成されていることが好ましい。非弾性領域の存在により、脚用弾性手段により着用者の脚周りが締め付けられすぎるのが防止され、脚周りの着用感を向上させる。一般に、脚開口縁に沿って弾性部材を設ける場合、脚開口縁の一部に非弾性領域を設けると、股部の下方側が着用者の肌面から離れやすくなり、股部のフィット性が劣るようになることが懸念される。しかし、本発明では、股間用弾性手段の存在により、脚用弾性手段と股間用弾性手段との間に非弾性領域が形成されていても、股部のフィット性と脚周りの着用感を同時に向上させることができる。
【００４８】
非弾性領域の長さ、すなわち脚用弾性手段の下方側端部と股間用弾性手段との間の長さは、特に限定されないが、２０ｍｍ以上が好ましく、３０ｍｍ以上がより好ましく、また６０ｍｍ以下が好ましく、５０ｍｍ以下がより好ましい。非弾性領域の長さが２０ｍｍ以上であれば、脚周りの着用感が向上しやすくなり、非弾性領域の長さが６０ｍｍ以下であれば、レッグギャザーが形成されない部分が広がりすぎず、適度にレッグギャザーが形成されるようになる。
【００４９】
本発明の使い捨てパンツ型おむつは、好ましくは、前側股部の両脚開口縁近傍と後側股部の両脚開口縁近傍の各々に、合計４ヶ所の非弾性領域が形成されることが好ましい。前記のように４つの非弾性領域が形成されていれば、左右の脚周りの前後で適度にレッグギャザーが形成されるようになり、脚周りの着用感が向上する。
【００５０】
本発明の使い捨てパンツ型おむつに配設される脚用弾性手段および股間用弾性手段は、２枚のシート間に配設されることが好ましい。
【００５１】
例えば、おむつ本体が、液透過性のトップシートと液不透過性のバックシートとの間に吸水性コアが挟み込まれた積層体からなる場合、各弾性部材はトップシートとバックシートとの間に配設されることが好ましい。なお、吸収性コアが存在する部分では、各弾性部材は、吸収性コアとバックシートとの間に配設されることが好ましい。この場合、各弾性部材はバックシートには接合されていてもよいが、股間用弾性手段は吸収性コアとは接合されなくてもよい。股間用弾性手段が吸収性コアと接合されなければ、股間用弾性手段のおむつ幅方向への収縮力が吸収性コアの剛性に妨げられなくなり、中間部の脚開口縁のたるみがより効果的に防止される。
【００５２】
例えば、おむつ本体が内側シートと外側シートとからなる積層体からなり、内側シートの着用者側の面にトップシートとバックシートとの間に吸収性コアが挟み込まれた吸収性本体が設けられている場合は、各弾性部材は内側シートと外側シートとの間に配設されることが好ましい。この場合、吸収性本体は、おむつ本体の股間用弾性手段が配設されている部分には接合されなくてもよい。吸収性本体が、おむつ本体の股間用弾性手段が配設された部分に接合されなければ、股間用弾性手段のおむつ幅方向への収縮力が吸収性コアの剛性に妨げられなくなり、中間部の脚開口縁のたるみがより効果的に防止される。
【００５３】
本発明の使い捨てパンツ型おむつには、脚用弾性手段と股間用弾性手段以外に、ウェスト開口縁に沿ってウェスト用弾性部材が設けられていてもよく、また前腹部や後背部のおむつ幅方向に胴周り用弾性部材が設けられていてもよい。ウェスト用弾性部材により、着用者が寝ている状態でも、背中側や腹部側からの尿等の排泄物の漏れが起こりにくくなる。胴周り用弾性部材により、おむつの下腹部周りのフィット性が向上する。ウェスト用弾性部材や胴周り用弾性部材も、脚用弾性手段や股間用弾性手段と同様に、２枚のシート間に配設されることが好ましい。
【００５４】
各弾性部材は、ポリウレタン糸、ポリウレタンフィルム、天然ゴム等の通常使い捨ておむつに用いられる弾性伸縮材料が用いることができる。各弾性部材は、シート上またはシート間に、伸張状態で、ホットメルト接着剤、熱接着、超音波接着等の接合手段で配設されることが好ましい。例えば、繊度１００〜２，５００デシテックスのポリウレタン糸を、倍率１．１〜５．０倍に伸張して配設し、固定する。接合手段としては、好ましくは、ゴム系のホットメルト接着剤である。
【００５５】
次に、本発明の使い捨てパンツ型おむつの一例について、図を参照して説明する。なお、本発明は、下記実施態様に限定されるものではない。
【００５６】
図１は、本発明の使い捨てパンツ型おむつを表す。図２は、図１の使い捨てパンツ型おむつの前腹部と後背部との接合を解いて、平面に展開した状態を表す。図３は、図２のＡ−Ａ断面図を表す。図２では、矢印ｘをおむつ幅方向とし、矢印ｙをおむつ前後方向と定義付けている。また、矢印ｘ，ｙにより形成される面に対して垂直方向を厚み方向ｚと定義付ける。
【００５７】
使い捨てパンツ型おむつ１は、前側股部ＲFと後側股部ＲBとこれらの間に位置する中間部ＲMとからなる股部Ｒと、股部Ｒの前後方向ｙに位置する前腹部Ｐと後背部Ｑとを有する。おむつ本体２は、前腹部Ｐと後背部Ｑとが接合されることによりウェスト開口部３と一対の脚開口部４とが形成されている。おむつ本体２は、内側シート５と外側シート６とからなる積層体である。
【００５８】
脚用弾性手段１１は、前側股部ＲFおよび後側股部ＲBの両脚開口縁Ｅに沿って設けられるとともに、下方側端部１１Eが脚開口縁Ｅと交差する方向に延在している。股間用弾性手段１２は、中間部ＲMに設けられ、おむつ幅方向ｘに両脚開口縁Ｅまで延在している。脚用弾性手段１１と股間用弾性手段１２との間には、非弾性領域１６が形成されている。図２では、股間用弾性手段１２は、両側端部１２Eが脚開口縁Ｅと交差する方向に延在するとともに、両側端部１２Eが曲線状に延在している。また、股間用弾性手段１２を構成する各弾性部材は、全てが等間隔となるようには設けられておらず、真ん中の弾性部材間がやや広めになるように設けられている。脚用弾性手段１１、股間用弾性手段１２は、内側シート５と外側シート６との間に伸張状態で接合されている。
【００５９】
ウェスト用弾性部材１３は、ウェスト開口縁７に沿って設けられている。胴周り用弾性部材１４は、前腹部Ｐと後背部Ｑに、おむつ幅方向ｘに設けられている。ウェスト用弾性部材１３、胴周り用弾性部材１４も、内側シート５と外側シート６との間に伸張状態で接合されている。
【００６０】
股部Ｒには、吸収性コア２１が備えられている（図３）。吸収性コア２１は、液透過性のトップシート２２と液不透過性のバックシート２３との間に挟み込まれ、吸収性本体８を形成している。吸収性本体８は、おむつ本体２の股間用弾性手段１２が接合された部分（図２では中間部ＲM）には接合されず、それ以外の部分でおむつ本体２に接合されている。トップシート２２は、着用者の股部の肌に面するように配置され、尿等の排泄物を透過する。トップシート２２を透過した排泄物は、吸収性コア２１により収容される。バックシート２３は、おむつ本体２の内側シート５に接合され、排泄物が外部へ漏れるのを防いでいる。
【００６１】
吸収性コア２１のおむつ幅方向ｘの両側縁部に沿って、立ち上がりフラップ２４が設けられている。立ち上がりフラップ２４は、トップシート２２に固定部２５で接合され、おむつ前後方向ｙに延在している。立ち上がりフラップ２４のおむつ幅方向ｘの内方端部には、立体用弾性部材１５が配設されている。立ち上がりフラップ２４は、立体用弾性部材１５の収縮力により、トップシート２２の上方（着用者側）に立ち上がる立体ギャザーを形成し、尿等の横漏れを防止する。なお、立ち上がりフラップ２４は、吸収性本体８の前後端部で、内面がトップシート２２上に接合されており、これにより尿等の前後方向ｙの外方への漏れが防止される。
【００６２】
上記実施態様において、股間用弾性手段１２の配設の仕方を変えた態様を図４に示す。図４では、股間用弾性手段１２は、両側端部１２Eが脚開口縁Ｅと交差する方向に延在するとともに、両側端部１２Eが直線状に延在している。また、股間用弾性手段１２を構成する各弾性部材は、全てが等間隔となるようには設けられている。
【００６３】
次に、本発明の使い捨てパンツ型おむつの製造方法について説明する。本発明の使い捨てパンツ型おむつは、第１シートを搬送方向に繰り出す工程（第１シート繰り出し工程）；第１弾性部材を、第１シートの搬送方向に延在する第１仮想線と幅方向一方端との間の領域に連続的に導入し、幅方向に延在し搬送方向に所定間隔で設けられる第２仮想線に対し線対称な仮想環上のほぼ半周に配設するとともに、第２弾性部材を、第１シートの前記第１仮想線と幅方向他方端との間の領域に連続的に導入し、前記仮想環上の第１弾性部材が配設されない残りのほぼ半周に配設し、弾性シートを得る工程（弾性部材配設工程）；前記弾性シートに、吸収性コアを、隣接する前記仮想環の間に配設する工程（吸収性コア配設工程）；前記弾性シートを、前記仮想環より幅方向に狭く、前記第２仮想線に対し線対称であり、前記第１弾性部材および／または前記第２弾性部材と交差する環状に切断し、脚開口部用穴を形成する工程（脚開口部用穴形成工程）；前記弾性シートを、パンツ形状に形成する工程（パンツ形成工程）を有する方法により製造することが好ましい。
【００６４】
本発明の使い捨てパンツ型おむつの製造方法によれば、脚開口部用穴の形成と、脚用弾性手段と股間用弾性手段の形成を、一度の切断で行うことができ、本発明の使い捨てパンツ型おむつを容易に製造することができる。また、本発明の使い捨てパンツ型おむつの製造方法によれば、脚開口部用穴の形成と、脚用弾性手段と股間用弾性手段との間の非弾性領域の形成を、一度の切断で行うことができる。
【００６５】
第１シート繰り出し工程では、第１シートを搬送方向に繰り出す。第１シートは、第１シート平面上に、搬送方向と、搬送方向に垂直な幅方向とを有している。第１シートは、好ましくは、長方形の外形を有しており、長方形の長辺と平行な搬送方向に繰り出される。
【００６６】
第１シートの素材としては、例えば、不織布やプラスチックフィルムが挙げられる。第１シートは、好ましくは、使い捨てパンツ型おむつのバックシートまたは外側シートを形成する。
【００６７】
第１シートは、仮想的に、第１シートの搬送方向に延在する第１仮想線と、第１シートの幅方向に延在し搬送方向に所定間隔で設けられる第２仮想線と、第２仮想線に対し線対称な仮想環とを有している。第１仮想線および第２仮想線、仮想環は、例えば視覚的、触覚的に認識しうるような、実体のものである必要はない。なお、第１仮想線は、第１シートの幅方向のほぼ中央位置に搬送方向の直線状で延在していることが好ましい。第２仮想線は、幅方向の直線状で延在している。
【００６８】
弾性部材配設工程では、第１弾性部材と第２弾性部材とを、第１シートに配設し、弾性シートを得る。第１弾性部材は、第１シートの第１仮想線と幅方向一方端との間の領域に連続的に導入され、仮想環上のほぼ半周に配設される。第２弾性部材は、第１シートの第１仮想線と幅方向他方端との間の領域に連続的に導入され、仮想環上の第１弾性部材が配設されない残りのほぼ半周に配設される。第１シートが長方形の形状を有する場合、幅方向一方端とは、長方形の長辺の一方であることが好ましく、幅方向他方端とは、長方形の長辺の他方であることが好ましい。第１弾性部材と第２弾性部材とは、第１仮想線を挟んで異なる領域に導入されるため、互いに接したり交わったりすることがない。弾性部材配設工程により、第１弾性部材と第２弾性部材とが配設された弾性シートが得られる。
【００６９】
仮想環の形状は、第２仮想線に対し線対称な形状であれば特に限定されず、幾何学的に閉じた領域を形成するものであればよい。仮想環の形状としては、円、楕円、扇形、多角形、等脚台形、円と楕円を除く前記図形の頂点を滑らかにした図形、不定形状等が挙げられる。
【００７０】
第１弾性部材と第２弾性部材は、仮想環上のほぼ半周に配設されるが、「ほぼ半周」との用語に関し、第１弾性部材と第２弾性部材は次のように仮想環上に配設されることが好ましい。つまり、第１仮想線と第２仮想線との交点Ｏを、仮想環の第１弾性部材または第２弾性部材が配設される部分Ｓの両端部と結んでできる角Ｔの角度が、９０°以上１８０°未満の範囲となることが好ましい。
【００７１】
弾性部材の素材や配設方法は、使い捨てパンツ型おむつの説明において、説明した通りである。第１弾性部材および第２弾性部材は、各々、１本の弾性部材からなっていてもよく、複数の弾性部材からなっていてもよい。
【００７２】
本発明の使い捨てパンツ型おむつの製造方法は、弾性部材配設工程に先だって、第１シートに接着剤を塗布する工程（接着剤塗布工程）を有していてもよい。接着剤は、少なくとも前記仮想環上に塗布することが好ましく、その結果、第１弾性部材および第２弾性部材を第１シートに接合し固定することが容易になる。接着剤としては、ポリオレフィン系、ゴム系、酢酸ビニル系等のホットメルト接着剤を使用することができる。接着剤は、例えば、接触式のコーター（塗工機）や非接触式のカーテンスプレーを用いて、第１シートに塗布される。
【００７３】
吸収性コア配設工程では、弾性シートに、吸収性コアを、隣接する仮想環の間に配設する。吸収性コアは、好ましくは、隣接する仮想環の間に、脚開口部用穴に触れないように弾性シートに配設される。第１シートに、後述する第２シートを積層する場合、吸収性コアは、第１シートと第２シートとの間に配設されてもよく、第１シートと第２シートとが積層したシートの第２シート上に配設されてもよい。吸収性コアの素材や構成は、使い捨てパンツ型おむつの説明において、説明した通りである。例えば、吸収性コアは、液透過性のトップシートと液不透過性のバックシートとの間に挟み込まれた吸収性本体として、弾性シートに配設されてもよい。吸収性コア配設工程により、弾性シートに、吸収性コアが配設される。
【００７４】
本発明の使い捨てパンツ型おむつの製造方法は、吸収性コア配設工程の前に、または吸収性コア配設工程の後に、第１弾性部材および第２弾性部材を間に挟んで第２シートを積層する工程（第２シート積層工程）を有していてもよい。なお、第２シート積層工程が吸収性コア配設工程の後にある場合、第２シート積層工程では、第１弾性部材、第２弾性部材、および吸収性コアを間に挟んで、第２シートが積層される。第２シートは、長方形の外形を有することが好ましく、第１シートと幅方向に同じ長さを有することがより好ましい。第２シートの素材としては、例えば、不織布が挙げられる。第２シートは、好ましくは、使い捨てパンツ型おむつのトップシートまたは内側シートを形成する。
【００７５】
脚開口部用穴形成工程では、弾性シートを環状に切断し、脚開口部用穴を形成する。脚開口部用穴を形成する切断環は、仮想環より幅方向に狭く、第２仮想線に対し線対称であり、第１弾性部材および／または第２弾性部材と交差する。なお、切断環が仮想環より幅方向に狭いとは、第１シートの幅方向一方端から切断環までの最小長さが、前記一方端から仮想環までの最小長さよりも長くなるとともに、第１シートの幅方向他方端から切断環までの最小長さが、前記他方端から仮想環までの最小長さよりも長くなることを意味する。脚開口部用穴形成工程により、脚開口部を形成する穴が開けられるとともに、第１弾性部材および／または第２弾性部材が切断され、脚用弾性手段と股間用弾性手段と非弾性領域とが形成される。
【００７６】
前記切断環は、第１弾性部材および第２弾性部材と交差することが好ましい。切断環が第１弾性部材および第２弾性部材と交差すれば、非弾性領域が、前側股部および後側股部の脚開口縁近傍に形成される。より好ましくは、前記切断環は、第１弾性部材および第２弾性部材と、各々４回交差する。切断環が、第１弾性部材および第２弾性部材と各々４回交差すれば、非弾性領域が、前側股部および後側股部の両脚開口縁近傍に形成され、得られるおむつの脚周りの着用感が向上する。
【００７７】
脚開口部用穴形成工程により第１弾性部材および／または第２弾性部材が切断されると、各弾性部材の伸縮作用により、得られるおむつの脚用弾性手段と股間用弾性手段の各端部は、脚開口縁から過度に内側の領域に存在するようになるおそれがある。従って、第１弾性部材および／または第２弾性部材は、脚開口部用穴形成工程に先だって、前記切断環近傍（好ましくは、各弾性部材の切断点から１５ｍｍ以内）で、ヒートシールまたはホットメルト接着剤により第１シートと接合されることが好ましい。
【００７８】
パンツ形成工程では、弾性シートを、パンツ型に形成する。弾性シートをパンツ型に形成する方法は特に限定されないが、パンツ形成工程は、弾性シートを、搬送方向に延在する折り返し線で二つ折りに折り返す工程（折り返し工程）；二つ折りに折り返された弾性シートどうしを第２仮想線に沿って接合する工程（弾性シート接合工程）；弾性シートを、第２仮想線上で切断する工程（切断工程）を有することが好ましい。
【００７９】
折り返し工程では、弾性シートを、搬送方向に延在する折り返し線で二つ折りに折り返す。好ましくは、折り返し工程では、弾性シートを、幅方向中央で搬送方向に延在する折り返し線で、二つ折りに折り返す。折り返し工程により、弾性シートが、おむつの股部に相当する部分で、二つ折りに折り返される。
【００８０】
弾性シート接合工程では、二つ折りに折り返された弾性シートどうしを第２仮想線に沿って接合する。弾性シートの接合は、例えば、ヒートシールや接着剤等により行われる。弾性シートどうしは、第２仮想線上で接合されてもよく、第２仮想線から所定範囲内（例えば、２０ｍｍ以内）の接合領域で接合されてもよい。弾性シートどうしを接合する接合線や接合領域は、弾性シートの幅方向に対し、連続的であっても断続的であってもよい。弾性シート接合工程により、弾性シートが、おむつの前腹部と後背部の幅方向両側縁部に相当する箇所で、接合される。
【００８１】
切断工程では、弾性シートを、第２仮想線上で切断する。切断工程では、連続的に製造された使い捨てパンツ型おむつを、例えば、切断カッター等で切断することにより、１つの使い捨てパンツ型おむつが得られる。
【００８２】
次に、本発明の使い捨てパンツ型おむつの製造方法の一例について、図５を参照して説明する。なお、本発明は、下記実施態様に限定されるものではない。
【００８３】
第１シート繰り出し工程３１では、第１シート４１を搬送方向ｖに繰り出す。第１シート４１は、仮想的に、第１シート４１の搬送方向ｖに延在する第１仮想線４２と、第１シート４１の幅方向ｗに延在し搬送方向ｖに所定間隔で設けられる第２仮想線４３と、第２仮想線４３に対し線対称な仮想環４４とを有している。図５の実施態様では、第１仮想線４２は第１シート４１の幅方向ｗの中央で搬送方向ｖに延在している。
【００８４】
接着剤塗布工程３２では、第１シート４１に接着剤４７を塗布する。接着剤４７は、第１弾性部材５１と第２弾性部材５２とが配設される領域を含むように、所定幅で搬送方向ｖに第１シート４１に塗布される。
【００８５】
弾性部材配設工程３３では、第１弾性部材を５１、第１シート４１の搬送方向ｖに延在する第１仮想線４２と幅方向一方端４５との間の領域に連続的に導入し、幅方向ｗに延在し搬送方向ｖに所定間隔で設けられる第２仮想線４３に対し線対称な仮想環４４上のほぼ半周に配設するとともに、第２弾性部材５２を、第１シート４１の第１仮想線４２と幅方向他方端４６との間の領域に連続的に導入し、仮想環４４上の第１弾性部材５１が配設されない残りのほぼ半周に配設し、弾性シート４８を得る。
【００８６】
図５では、第１弾性部材５１と第２弾性部材５２は、正弦半波状に第１シート４２に配設されている。また、図５では、第１仮想線４２と第２仮想線４３との交点Ｏを、仮想環４４の第１弾性部材５１が配設される部分の両端部と結んでできる角Ｔ1の角度が、９０°以上１８０°未満の範囲にあり、交点Ｏを、仮想環４４の第２性部材５２が配設される部分の両端部と結んでできる角Ｔ2の角度が、９０°以上１８０°未満の範囲にある。
【００８７】
図５では、第１仮想線４２と幅方向一方端４５との間の領域が、おむつの前腹部と前側股部とを形成する。一方、第１仮想線４２と幅方向他方端４６との間の領域が、おむつの後背部と後側股部とを形成する。
【００８８】
第２シート積層工程３４では、第１弾性部材５１および第２弾性部材５２を間に挟んで第２シート４９を積層する。図５の実施態様では、第１シート４１と第２シート４９は、幅方向ｗに同じ長さを有する。
【００８９】
吸収性コア配設工程３５では、弾性シート４８に、吸収性コア５３を、隣接する仮想環４４の間に配設する。吸収性コア５３は、第１シート４１と第２シート４９とが積層した第２シート４９上に配設されている。
【００９０】
脚開口部用穴形成工程３６では、弾性シート４８を、仮想環４４より幅方向ｗに狭く、第２仮想線４３に対し線対称であり、第１弾性部材５１および第２弾性部材５２と交差する環状に切断し、脚開口部用穴５４を形成する。脚開口部用穴形成工程３６では、第１弾性部材５１と第２弾性部材５２とが切断されて、脚用弾性手段と股間用弾性手段が形成されるとともに、脚開口部用穴５４の縁近傍に非弾性領域５５が形成される。図５の実施態様では、非弾性領域５５が、おむつの前側股部および後側股部の両脚開口縁近傍に合計４ヶ所設けられる。
【００９１】
折り返し工程３７では、弾性シート４８を、搬送方向ｖに延在する折り返し線で二つ折りに折り返す。図５の実施態様では、折り返し線は第１シート４１の幅方向ｗの中央で搬送方向ｖに延在し、第１仮想線４２と折り返し線とが一致している。
【００９２】
弾性シート接合工程３８では、二つ折りに折り返された弾性シート４８どうしを、第２仮想線４３に沿って、ヒートシール機５６により接合する。
【００９３】
切断工程３９では、弾性シート４８を、第２仮想線４３上で切断し、使い捨てパンツ型おむつ５７を得る。なお、図５の実施態様では、折り返し工程３７と弾性シート接合工程３８と切断工程３９の３つの工程が、パンツ形成工程に相当する。
【００９４】
図６には、上記図５と異なる実施態様を示す。図６の実施態様は、吸収性コア配設箇所と、脚開口部用穴を形成する切断環の形状が、図５の実施態様と異なる。
【００９５】
第１シート繰り出し工程６１では、第１シート７１を搬送方向ｖに繰り出す。第１シート７１は、仮想的に、第１シート７１の搬送方向ｖに延在する第１仮想線７２と、第１シート７１の幅方向ｗに延在し搬送方向ｖに所定間隔で設けられる第２仮想線７３と、第２仮想線７３に対し線対称な仮想環７４とを有している。仮想環７４の形状は、幅方向他方端７６側が、やや膨らんだ形状となっている。
【００９６】
接着剤塗布工程６２では、第１シート７１に接着剤７７を塗布する。
【００９７】
弾性部材配設工程６３では、第１弾性部材８１を、第１シート７１の搬送方向ｖに延在する第１仮想線７２と幅方向一方端７５との間の領域に連続的に導入し、幅方向ｗに延在し搬送方向ｖに所定間隔で設けられる第２仮想線７３に対し線対称な仮想環７４上のほぼ半周に配設するとともに、第２弾性部材８２を、第１シート７１の第１仮想線７２と幅方向他方端７６との間の領域に連続的に導入し、仮想環７４上の第１弾性部材８１が配設されない残りのほぼ半周に配設し、弾性シート７８を得る。
【００９８】
吸収性コア配設工程６４では、弾性シート７８に、吸収性コア８３を、隣接する仮想環７４の間に配設する。吸収性コア８３は、第１シート７１上に配設されている。
【００９９】
第２シート積層工程６５では、第１弾性部材８１、第２弾性部材８２、および吸収性コア８３を間に挟んで第２シート７９を積層する。
【０１００】
脚開口部用穴形成工程６６では、弾性シート７８を、仮想環７４より幅方向ｗに狭く、第２仮想線７３に対し線対称であり、第１弾性部材８１と交差する環状に切断し、脚開口部用穴８４を形成する。この場合、非弾性領域８５は、おむつの前側股部の両脚開口縁近傍のみに設けられる。
【図面の簡単な説明】
【０１０１】
【図１】本発明の使い捨てパンツ型おむつを表す。
【図２】図１の使い捨てパンツ型おむつの前腹部と後背部との接合を解いて、平面に展開した状態を表す。
【図３】図２におけるＡ−Ａ断面図である。
【図４】図２に示した使い捨てパンツ型おむつの股間用弾性手段の配設仕方を変えた態様を表す。
【図５】本発明の使い捨てパンツ型おむつの製造方法の一例を表す。
【図６】本発明の使い捨てパンツ型おむつの製造方法の別の一例を表す。
【符号の説明】
【０１０２】
１，５７：  使い捨てパンツ型おむつ
２：  おむつ本体
５：  内側シート
６：  外側シート
８：  吸収性本体
１１：  脚用弾性手段
１２：  股間用弾性手段
１６：  非弾性領域
４１，７１：  第１シート
４８，７８：  弾性シート
４９，７９：  第２シート
５１，８１：  第１弾性部材
５２，８２：  第２弾性部材
５４，８４：  脚開口部用穴
【図１】
2010142499.tif 000003
【図２】
2010142499.tif 000004
【図３】
2010142499.tif 000005
【図４】
2010142499.tif 000006
【図５】
2010142499.tif 000007
【図６】
2010142499.tif 000008